(57)【要約】【課題】使用者の使い勝手のよいように、自分の望む位置に洗面ボウルを左右にスライド移動し、洗面や化粧のできる洗面化粧台を提供する。【解決手段】壁面Ｗに固定されたカウンターＢと該カウンターＢ上をスライド自在に左右に移動する洗面ボウルＡとからなる洗面化粧台であって、上記洗面ボウルＡにはフレキシブルな給水管６に接続されたカラン５と排水口２とが設けられ、該排水口２からの排水はカウンターＢの後部に延設された排水溝９に排出され、該排水溝９には排水本管Ｅに接続される排水流出口９１が穿たれてなる可動型洗面化粧台。【選択図】図１
2008220879.tif 000002
【特許請求の範囲】
【請求項１】
壁面に固定されたカウンターと該カウンター上をスライド自在に左右に移動する洗面ボウルとからなる洗面化粧台であって、上記洗面ボウルにはフレキシブルな給水管に接続されたカランと排水口とが設けられ、該排水口からの排水はカウンターの後部に延設された排水溝に排出され、該排水溝には排水本管に接続される排水流出口が穿たれてなる可動型洗面化粧台。
【請求項２】
上記洗面ボウルは、ボウル本体と背壁部とフロントエプロン部とからなり、ボウル本体の底面後部には排水口が設けられ、上記背壁部の天面にはカランが設けられ、上記フロントエプロン部の下部は略Ｌ字型に内側に折曲されて係止片を形成するとともに、この係止片にはガイドローラが設けられ、上記ボウル本体の底面裏面には転動ローラが下設された請求項１に記載の可動型洗面化粧台。
【請求項３】
上記カウンターの下面の手前側には上記ガイドローラが遊嵌合するガイド溝が延設され、上記排水溝の底面は排水流出口に向けて緩傾斜する請求項１に記載の可動型洗面化粧台。
【発明の詳細な説明】
【技術分野】
【０００１】
本発明は、洗面化粧台に関する。さらに詳しくは、洗面ボウルがカウンター上を左右にスライド自在とされた可動型洗面化粧台に関する。
【背景技術】
【０００２】
近年、生活の多様化、家族構成の変化等に対応するため、種々のタイプの洗面化粧台が提案されている。例えば、下記特許文献１には、平均的な高さ（７３０ｍｍ）の洗面化粧台では高齢者や子供には高過ぎるため使いにくく、踏み台や介助を要し、伸長の伸びが著しい若者には低過ぎて使い勝手が悪いため、身長の相違する使用者に対しても、使い勝手よく高さを調節できる洗面化粧台が提案されている。
【０００３】
すなわち、下記特許文献１に記載の洗面化粧台は、洗面ボウルおよび給水栓をガススプリング式、電動式等の昇降機構により高さ調節可能とされているため、使用者の身長に合わせて無理な姿勢を取らず、使い勝手よく洗面や化粧をすることができると記載されている。また、左右に２組並設し、その一方のみを昇降可能とすることにより、複数人が同時に使用できる効果もあると記載されている。
【特許文献１】実開平７−１８８１号公報（第１〜２頁、第１、第２図、第３図）
【発明の開示】
【発明が解決しようとする課題】
【０００４】
一方、洗面化粧台も近年大型化するとともに、複数の使用者が同時に洗面や化粧のできる洗面化粧台も普及しつつある。この場合、使用者の使い勝手のよいように、洗面ボウルを左右に移動させて使用できる洗面化粧台が望まれている。
【０００５】
本発明はこのような状況に鑑みて考え出されたものであり、使用者の使い勝手のよいように、自分の望む位置に洗面ボウルを左右にスライド移動し、洗面や化粧のできる可動型洗面化粧台を提供することを、その課題とする。
【課題を解決するための手段】
【０００６】
上記課題を解決するために、本発明においては、つぎのような技術的手段を講じている。すなわち、請求項１に記載の発明によれば、壁面に固定されたカウンターと該カウンター上をスライド自在に左右に移動する洗面ボウルとからなる洗面化粧台であって、上記洗面ボウルにはフレキシブルな給水管に接続されたカランと排水口とが設けられ、該排水口からの排水はカウンターの後部に延設された排水溝に排出され、該排水溝には排水本管に接続される排水流出口が穿たれてなる可動型洗面化粧台が提供される。
【０００７】
請求項２に記載の可動型洗面化粧台は、請求項１に記載の発明に加えて、上記洗面ボウルは、ボウル本体と背壁部とフロントエプロン部とからなり、ボウル本体の底面後部には排水口が設けられ、上記背壁部の天面にはカランが設けられ、上記フロントエプロン部の下部は略Ｌ字型に内側に折曲されて係止片を形成するとともに、この係止片にはガイドローラが設けられ、上記ボウル本体の底面裏面には転動ローラが下設される。
【０００８】
請求項３に記載の可動型洗面化粧台は、請求項１に記載の発明に加えて、上記カウンターの下面の手前側には上記ガイドローラが遊嵌合するガイド溝が延設され、上記排水溝の底面は排水流出口に向けて緩く傾斜している。
【発明の効果】
【０００９】
請求項１に記載の発明にかかる可動型洗面化粧台は上記のとおりであり、壁面に固定されたカウンターと該カウンター上を左右に移動する洗面ボウルとからなり、上記洗面ボウルにはフレキシブルな給水管に接続されたカランが設けられているため、洗面ボウルを移動しても、給水管が追従可能であり、使用者の望む位置で洗面や化粧をすることができる。また、洗面ボウルに設けられた排水口からの排水はカウンターの後部に延設された排水溝に排出されるとともに、該排水溝には排水本管と接続する排水流出口が穿たれているため、洗面ボウルを移動しても上記カウンターの幅内では所望の位置で排水可能であり、使用者の望む位置で洗面や化粧をすることができる。
【００１０】
請求項２に記載の可動型洗面化粧台は上記のとおりであり、請求項１の可動型洗面化粧台の有する効果に加え、排水口が設けられたボウル本体とカランが設けられた背壁部とフロントエプロン部とからなる洗面ボウルの上記フロントエプロン部の下部は略Ｌ字型に内側に折曲されて係止片を形成し、この係止片にはガイドローラが設けられ、かつ、上記ボウル本体の底面の裏面には転動ローラが下設されているため、洗面ボウルがカウンター上をスムースに移動できる。
【００１１】
請求項３に記載の可動型洗面化粧台は上記のとおりであり、請求項１の可動型洗面化粧台の有する効果に加え、上記カウンターの下面の手前側には上記ガイドローラが遊嵌合するガイド溝が延設されているため、このガイド溝がガイドローラによって安定して直線的にガイドされ、転動ローラが転動することによって洗面ボウルはカウンター上をスムースにスライド移動できる。
【発明を実施するための最良の形態】
【００１２】
以下、本発明の実施形態について図面を参照して詳細に説明する。図１は、本発明にかかる可動型洗面化粧台を示す外観斜視図である。図１に示すように、上記可動型洗面化粧台は、カウンターＢと、このカウンターＢ上を左右に移動する洗面ボウルＡとから構成される。図２は、上記洗面ボウルＡを示す側断面図であり、図３は上記カウンターＢを示す側断面図である。
【００１３】
図２に示されるように、上記洗面ボウルＡは、ボウル本体１１と背壁部１２とフロントエプロン部１３とからなり、ボウル本体１１の底面１１１の後部には洗面や化粧を落とした際の排水を流す排水口２が設けられ、上記背壁部１２の天面１２１にはカラン５が設けられている。このカラン５はフレキシブルな給水管６に接続され、ボウル本体１１に水を供給する。また、上記フロントエプロン部１３の下部は略Ｌ字型に折曲されて係止片１３１を形成し、この係止片１３１の上にはガイドローラ３が突設されている。さらに、ボウル本体１１の底面１１１の裏面には、洗面ボウルＡがカウンターＢ上をスムースにスライドするよう複数の転動ローラ４が下設されている。
【００１４】
また、図３に示されるように、上記カウンターＢは固定手段Ｆによって壁面Ｗに固定されるとともに、カウンター部７の下面７１の手前側には、ガイド溝８が設けられ、カウンター部７の上面後部には、図１に示す排水溝９が延設されている。また、排水溝９の端部底面には排水流出口９１が穿たれ、排水溝９の底面全体は排水流出口９１に向けて緩やかに傾斜している。洗面時や化粧を落としたきの排水は上記底面を流れて排水流出口９１から流下し、排水本管Ｅに排出される。
【００１５】
図４は、本発明にかかる可動型洗面化粧台を示す側断面図である。図４に示すように、ボウル本体１１の底面１１１の裏面には複数のローラ４が下設されているため、洗面ボウルＡは上記カウンターＢの上を左右にスムースに移動できる。また、上記ガイド溝８には、係止片１３１の上に設けられたガイドローラ３が遊嵌合し、ガイド溝８がガイドローラ３によって安定して直線的に移動するため、洗面ボウルＡはカウンターＢ上をぶれずにスムースにスライド移動できる。このようにして、使用者は上記洗面ボウルを使い勝手のよいように、自分の望む位置に容易にスライドさせて洗面や化粧をすることができる。
【００１６】
なお、上記実施形態においては、洗面ボウルＡが１つの場合について述べたが、複数の洗面ボウルＡをカウンターＢ上を左右にスライド自在に設けてもよい。このように、本発明は設計変更自在であり、特許請求の範囲を逸脱しない限り、本発明の技術的範囲に属する。
【図面の簡単な説明】
【００１７】
【図１】本発明にかかる可動型洗面化粧台を示す外観斜視図である。
【図２】本発明にかかる可動型洗面化粧台の洗面ボウルを示す側断面図である。
【図３】本発明にかかる可動型洗面化粧台のカウンターを示す側断面図である。
【図４】本発明にかかる可動型洗面化粧台を示す側断面図である。
【符号の説明】
【００１８】
Ａ          洗面ボウル
Ｂ          カウンター
Ｅ          排水本管
Ｆ          固定手段
Ｗ          壁面
１１        ボウル本体
１１１      底面
１２        背壁部
１２１      天面
１３        フロントエプロン部
１３１      係止片
２          排水口
３          ガイドローラ
４          転動ローラ
５          カラン
６          給水管
７          カウンター部
７１        下面
８          ガイド溝
９          排水溝
９１        排水流出口
【図１】
2008220879.tif 000003
【図２】
2008220879.tif 000004
【図３】
2008220879.tif 000005
【図４】
2008220879.tif 000006